(57)【要約】  【課題】  ネームプレート貼り付けのための前面パネル等が形成されていない通常のグリル部材でもネームプレートを取り付けることができ，かつ様々な寸法若しくは形状のネームプレートを取り付けることが可能な空気調和機を提供すること。  【解決手段】  ネームプレート２ａの背面に，略Ｊ字状に折り曲げられた突設部材５を形成しておく。前記突設部材５がグリル部材１ａにおける２つのの桟３（上側の桟３Ｕと下側の桟３Ｌ）の間に挿入された状態では，前記突設部材５の先端部５ａが縁部３ａと係合する。その状態で根元部５ｂから折り曲げ部３ｃにまで至る部分が前記下側の桟３Ｌと当接することで，前記先端部５ａと前記縁部３ａとの係合が外れないようにされる。【選択図】図７
2007004036.tif 000002
【特許請求の範囲】
【請求項１】
通気経路において外装を形成する部材であって，各々略平行に配列されるとともに装置外面側の端部付近に通気方向の断面が略Ｌ字状である縁部が各々形成された複数の桟が設けられてなるグリル部材と，該グリル部材の前記装置外面側において前記桟に取り付けられるネームプレートとを備えた空気調和機であって，
前記ネームプレートの背面に突設された部材であって，前記グリル部材における前記桟のうちの隣り合う第１の桟と第２の桟との間に挿入されることにより，前記第１の桟の前記縁部に装置内面側から係合して該縁部を前記ネームプレートの背面との間に挟む係合部と，前記係合部が前記第１の桟の前記縁部に装置内面側から係合した状態で前記第２の桟に当接する位置ずれ規制部と，が形成された突設部材を具備してなることを特徴とする空気調和機。
【請求項２】
前記突設部材が，
前記係合部から前記ネームプレートの背面に亘る部分の一部又は全部に設けられるものであり，前記第１の桟と第２の桟との間への挿入に伴って弾性変形しつつ前記係合部を前記縁部に係合させる弾性部材を有してなる請求項１に記載の空気調和機。
【請求項３】
前記突設部材が，前記係合部よりも更に前記ネームプレートの背面の遠方に突出する突出部を有しており，
前記弾性部材が少なくとも前記突出部を含む部分に設けられてなる請求項２に記載の空気調和機。
【請求項４】
前記突設部材が，前記ネームプレートの背面に通気方向の断面において略Ｊ字状に折り曲げられた部材であり，その先端部が前記係合部として，その根元部から折り曲げ部に至るまでの一部が前記位置ずれ規制部として構成されてなる請求項３に記載の空気調和機。
【請求項５】
前記突設部材が，前記ネームプレートの背面において前記桟の長手方向に沿って複数設けられてなる請求項１〜４のいずれかに記載の空気調和機。
【請求項６】
前記グリル部材が，前記桟の配列方向に沿って該桟各々に渡るリブを有しており，
前記ネームプレートが，その複数の前記突設部材が前記リブの両側において前記第１の桟に係合するよう取り付けられてなる請求項５に記載の空気調和機。
【請求項７】
通気経路において外装を形成する部材であって，各々略平行に配列されるとともに装置外面側の端部付近に通気方向の断面が略Ｌ字状である縁部が各々形成された複数の桟が設けられてなる空気調和機のグリル部材に前記装置外面側において前記桟に取り付けられるネームプレートであって，
前記グリル部材における前記桟のうちの隣り合う第１の桟と第２の桟との間に挿入されることにより，前記第１の桟の前記縁部に装置内面側から係合して該縁部を当該ネームプレートの背面との間に挟む係合部と，前記係合部が前記第１の桟の前記縁部に装置内面側から係合した状態で前記第２の桟に当接する位置ずれ規制部と，が形成された突設部材が当該ネームプレートの背面に突設されてなることを特徴とするネームプレート。
【発明の詳細な説明】
【技術分野】
【０００１】
本発明は，空気調和機に関するものであり，吸気口若しくは排気口に設けられたグリル部材にネームプレートを取り付けることが可能な構造を有する空気調和機，及びネームプレートに関するものである。
【背景技術】
【０００２】
空気調和機は，例えば所定の冷媒と吸気された空気との熱交換を行い，その熱交換後の空気を排気することにより，室内の空気温度や湿度等を調節するものがある。そのような空気の吸気口若しくは排気口には，通気性を維持するために格子状の形状を有するパネルであるグリル部材が設けられている。
また，前記グリル部材には，例えば特許文献１等に示されるように，製品名やメーカー名，若しくは製品シンボル等を表すネームプレートが取り付けられる場合がある。
図１は，そのような従来例に係る空気調和機の斜視図である。以下，図１を参照しつつ，例えば特許文献１等に記載のような，グリル部材にネームプレートが取り付けられた従来例に係る空気調和機について説明する。
【０００３】
図１に示される如く，従来例に係る室外機，室内機一体型の空気調和機Ｂは，本体筐体Ｙ１の内部に不図示の圧縮機，熱交換器，送風機，電装組品等の主要構成部品が設けられたものとして概略構成される。前記本体筐体Ｙ１には前記送風機による通気経路となる通気口が形成されており，その通気口はグリル部材１ｂにより覆われている。前記グリル部材１ｂの一面（装置の外面側の面）の略中央部には，前記空気調和機Ｂのシンボルマーク図がその前面に形成された板状部材であるネームプレート２ｂが取り付けられている。
図２は従来例に係る空気調和機Ｂのグリル部材１ｂのネームプレート２ｂ及びその周辺図である。また，図３は従来例に係る空気調和機Ｂのグリル部材１ｂのネームプレート２ｂ周辺の部分断面図（図２に示される線ｘ−ｘ’間の断面図）である。以下，図２及び図３を参照しつつ，従来例における前記グリル部材１ｂへの前記ネームプレート２ｂの取り付け構造について説明する。
【０００４】
図２及び図３に示されるように，前記グリル部材１ｂは，前記一面（装置の外面側の面）に前記送風機による通気方向の断面（図２に示される線ｘ−ｘ’に沿っての断面）が略Ｌ字状に下方に屈曲した形状である（図３参照）複数の桟３が，各々略平行に配列されたものとして形成される。以下，略Ｌ字の下方への屈曲部を縁部３ａと呼ぶ。
前記桟３のうち，前記グリル部材１ｂの略中央部付近を通過する複数の桟３にまたがるように，平面部４が形成されている。
前記ネームプレート２ｂは，前記シンボルマーク図が形成されていない側の面（背面）が前記平面部４に接着され，これにより前記グリル部材１ｂに取り付けられる。
【特許文献１】特開２００４−１０１０９４号公報
【発明の開示】
【発明が解決しようとする課題】
【０００５】
しかしながら，上述のネームプレート２ｂを接着により固定する従来技術は，以下のような問題点を有する。
まず，グリル部材１ｂにはネームプレート２ｂを貼り付けるための平面部４を形成しておかねばならない。つまり，このような平面部４が形成されていないグリル部材では，前記ネームプレート２ｂとの接触面積が少ないため，前記ネームプレートを強固に貼り付ける（即ち，取り付ける）ことが出来ない。また，はじめから前記平面部４が形成されたグリル部材１ｂを製造するという方法もあるが，この方法では，前記グリル部材１ｂの製造のためには新しい金型が必要となり，その金型の製造費用及び時間がかかるという問題点がある。
更に，前記平面部４を用意しておく上記の方法では，取り付け可能なネームプレートの形状，寸法は前記平面部４の形状，寸法により限定されてしまうという問題点もある。
また，前記平面部４は桟３の配列の規則を乱すものであるため，ネームプレート２ｂが貼り付けられていない場合は空気調和機のグリル部材１ｂの外面側の美観が損なわれるという問題点もある。
従って，本発明は上記事情に鑑みてなされたものであり，その目的とするところは，ネームプレート貼り付けのための平面部等が形成されていない通常のグリル部材でもネームプレートを取り付けることができ，かつ様々な寸法若しくは形状のネームプレートを取り付けることが可能な空気調和機，及びネームプレートを提供することにある。
【課題を解決するための手段】
【０００６】
上記目的を達成するために本発明は，通気経路において外装の一部であり断面略Ｌ字状の縁部が各々形成された複数の桟が略平行に配列されたグリル部材と，該グリル部材の装置外面側に取り付けられるネームプレートとを備え，前記ネームプレートの背面に突設され隣接配列された２つの桟の間に挿入される部材であって，一方の桟の前記縁部に装置内面側から係合して前記縁部を前記ネームプレートの間に挟み込む係合部及び該係合部が前記縁部に係合した状態で他方の桟に当接する位置ずれ規制部が形成された突設部材を具備する空気調和機である。
前記位置ずれ規制部が前記他方の桟に当接することで，前記係合部による前記縁部との係合が外れないようにされるため，略平行に隣接配列された桟を有する通常のグリル部材であれば，従来例における平面部のように特殊な形状が形成されていなくても前記ネームプレートを取り付けることが可能である。また，どのような寸法，形状のネームプレートでも取り付けることが可能である。また，前記ネームプレートを取り外した状態であっても，空気調和機の前記グリル部材の美観が損なわれないのは言うまでもない。更に，前記ネームプレートとの背面と前記グリル部材の前記装置外面側とが当接した状態で（面接触した状態で）固定されるため，固定の安定性が高い。また，上述のような突設部材は，それ単体で前記グリル部材への取り付けが可能である。
【０００７】
ここで，前記突設部材における前記係合部から前記ネームプレートの背面に亘る部分の一部又は全部が弾性部材により形成されている場合，前記突設部材の挿入の際には前記弾性部材が弾性変形するので，前記係合部と前記縁部とを簡単に係合させることができる。
前記突設部材が，前記ネームプレートの背面に前記通気方向の断面において略Ｌ字状に折り曲げられた部材である場合には，先端部を前記係合部として，その根元部から折り曲げ部に至るまでの一部を前記位置ズレ規制部として用いることが可能である。この場合，板金若しくは金属の線材をＪ字状に折り曲げることにより，前記突設部材を簡単に形成することが可能であり且つ単純な形状に設けることが可能である。
また，前記突設部材を前記桟の長手方向に沿って複数設けた場合には，例えば前記グリル部材において前記桟各々に亘るリブの両側にまたがるように前記突設部材を前記一方の桟に係合させ，前記ネームプレートの横方向（桟の長手方向）へのずれを防止するような使い方も可能である。
ところで，前記ネームプレートの形状自体が本発明であると捉えることも可能である。
【発明の効果】
【０００８】
本発明によれば，略平行に隣接配列された桟を有する通常のグリル部材であれば，従来例における平面部のように特殊な形状が形成されていなくてもネームプレートを取り付けることが可能であり，また，どのような寸法，形状のネームプレートでも取り付けることが可能である。また，前記ネームプレートを取り外した状態であっても，空気調和機の前記グリル部材の美観が損なわれないことは言うまでもない。更に，前記ネームプレートとの背面と前記グリル部材の前記装置外面側とが当接した状態で（面接触した状態で）固定されるため，その固定の安定性は高い。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は従来例に係る空気調和機の斜視図，図２は従来例に係る空気調和機の有するグリル部材のネームプレート及びその周辺部分の正面図，図３は従来例に係る空気調和機の有するグリル部材のネームプレート及びその周辺部分の断面図，図４は本発明の一実施形態に係る空気調和機の斜視図，図５は本発明の一実施形態に係る空気調和機の有するグリル部材のネームプレート及びその周辺部分の正面図，図６は本発明の実施形態に係る空気調和機の有するグリル部材に取り付けられるネームプレートの背面から見た斜視図，図７は本発明の一実施形態に係る空気調和機の有するグリル部材のネームプレート及びその周辺部分の断面図，図８は本発明の一実施例に係る空気調和機の有するグリル部材に取り付けられるネームプレートの背面から見た斜視図，図９は本発明の一実施例に係る空気調和機の有するグリル部材のリブの正面図，図１０は本発明の一実施例に係る空気調和機の有するグリル部材に対するネームプレートの取り付け構造を説明するための断面図である。
【００１０】
以下，図４を参照しつつ，本発明の一実施形態に係る空気調和機の概要について説明する。
図４に示される如く，本発明の一実施形態に係る室外機，室内機一体型の空気調和機Ａは，本体筐体Ｘ１の内部に不図示の圧縮機，熱交換器，送風機，電装組品等の主要構成部品が設けられたものとして概略構成され，前記送風機による通気口はグリル部材１ａにより覆われている（前記グリル部材１ａは通気経路において外装を形成する部材である）。
従来例と同様，前記グリル部材１ａの略中央部には，当該空気調和機Ａのシンボルマークがその一面に表示されるネームプレート２ａが取り付けられるが，その取り付け構造において本発明と従来例とは異なる。
【００１１】
以下，図５乃至図７を参照しつつ，本発明の一実施形態に係る空気調和機Ａにおける，前記グリル部材１ａへの前記ネームプレート２ａの取り付け構造について説明する。
図５（及び図７）に示されるように，前記グリル部材１ａは，前記一面（装置の外面側の面）に前記送風機による通気方向の断面（図５に示される線ｘ−ｘ’に沿っての断面）が略Ｌ字状に下方に屈曲した形状（従来例と同様，縁部３ａが形成された形状）である複数の桟３が，各々略平行に配列されたものとして形成される。尚，前記桟３各々は，前記グリル部材１ａが前記空気調和機Ａに取り付けられた状態で水平方向を長手方向として形成されている。
また，図６に示されるように，前記ネームプレート２ａの背面（前記シンボルマークが表示されている面の裏面）には，前記グリル部材１ａにおいて鉛直上下に隣り合うように設けられた２つの桟（以下，上側の桟３Ｕ，下側の桟３Ｌのように呼ぶ，図７参照）の間に挿入される部材である突設部材５が突設して設けられている。前記ネームプレート２ａは，前記突設部材５を介して前記グリル部材１ａに取り付けられる。
前記突設部材５は，前記送風機による通気方向の断面が略Ｊ字状に折り曲げられた板状の部材であり，前記ネームプレート２ａの背面と接合されている根元部ｃ，先端部５ａ，該先端部５ａ（係合部の一例）よりも前記ネームプレート２ａの背面から遠方に突出する突出部である折り曲げ部５ｂ等を有する。また，前記突設部材５は，前記ネームプレート２ａの背面に水平方向（前記桟３各々の長手方向）に所定の長さにわたって長手に設けられている。
【００１２】
前記突設部材５は，前記空気調和機Ａの外面側から，前記グリル部材１ａにおける前記上側の桟３Ｕ，前記下側の桟３Ｌをそれぞれ略鉛直上下へと付勢して弾性変形させつつ，図７の矢印Ｘの方向に前記グリル部材１ａに挿入される。
また，図７に示される如く，そのような挿入により，前記突設部材５における先端部５ａが前記上側の桟３Ｕの縁部３ａにまで達して，前記突設部材５による前記略鉛直方向への付勢が解除されたときに，前記上述の弾性変形が復元され，前記縁部３ａが前記ネームプレート２ａの背面と前記先端部５ａ（係合部の一例）との間に挟み込まれることにより，前記先端部５ａと前記縁部３ａとが係合された状態になる。
また，そのような状態で，前記突設部材５における根元部５ｃから折り曲げ部５ｂに至るまでの部分（位置ずれ規制部の一例）が，前記下側の桟３Ｌの前記上側の桟３Ｕとの対向面と当接し，これにより，前記先端部５ａ（係合部）と前記縁部３ａとの係合が外れないようになる。
尚，前記桟３に代わって前記突設部材５自身が弾性を有するものであり，前記突設部材５の前記グリル部材１ａへの挿入に伴って，例えば前記折り曲げ部５ｂを含む所定範囲の部分に弾性変形が生じるものであっても，前記先端部５ａと前記縁部３ａとを係合させることが可能である。
以上，本実施形態によれば，従来例における平面部のような特殊な形状がグリル部材に設けられていない場合であっても，前記突設部材５を隣接する桟の間に単純に差し込むことにより，前記グリル部材に前記ネームプレート２ａを取り付けることが可能である。また，どのような寸法，形状のネームプレートでも前記グリル部材に取り付けることが可能である。
尚，本実施形態では，前記桟３の断面形状が略Ｌ字状に下方に屈曲した形状であり，前記ネームプレート２ａに設けられた前記突設部材５は略Ｊ字状に折り曲げられた板状の部材である場合について開示したが，本発明はこれに限られるものではない。即ち，前記突設部材５及び前記桟３の断面形状として様々な形状が考えられるが，前記ネームプレート２ａの桟３に対する挿入方向への変位が規制されるような（つまり，前記突設部材５が抜け止めの役割を果たすような）形状であれば，本実施形態と同様の効果を奏する。
【実施例】
【００１３】
上述の実施形態では，突設部材５はネームプレート２ａの背面に水平方向（桟３の長手方向）に亘って所定長さに設けられた単独の板状部材であったが，これに限られるものではなく，例えば図８のように，水平方向に分割された２つの突設部材５’とすることも考えられる。
この場合，図９に示されるように前記グリル部材１ａのうち，桟３の配列方向に沿って桟３各々に亘るリブ６が設けられた部分に前記ネームプレート２ａ’を取り付け，上記２つの突設部材５’の間に上記リブ６を挟むことで，該ネームプレート２ａ’の前記水平方向（前記桟３の配列方向の直交方向）の位置決めをすることができる。すなわち，前記２つの突設部材５’が，前記リブ６の両側において前記リブ６に跨りつつ前記桟３（上側の桟３Ｕ）に係合するように取り付けることで（図１０の断面図参照），前記リブ６が前記突設部材５’の前記水平方向への変位を規制する規制部の役割を果たす。このような構成により，やはり何ら特殊な形状が設けられていない通常のグリル部材１ａに対しても（前記リブ６は通常グリル部材に設けられると考えられる），前記ネームプレート２ａ’を水平方向への変位を規制しつつ取り付けることが可能である。
また，前記リブ６が前記桟３の長手方向に沿って複数配列されたものである場合には，前記突設部材５の長手方向の幅を前記リブ６相互の間隔に併せて形成しておき，前記リブ６の間に前記突設部材５が挟み込まれるように前記ネームプレート２ａを取り付けることで，やはり前記ネームプレート２ａ’の水平方向への変位を規制することが可能である。尚，前記リブ６のピッチや前記ネームプレート２ａの大きさは適宜調節することができる。
尚，上述のリブ６が設けられていないような，前記桟３だけのグリル部材である場合には，前記桟３にその長手方向の直交方向に例えば突起等を設けておけば，その突起が前記リブ６の役割を果たすと考えられる。
【図面の簡単な説明】
【００１４】
【図１】従来例に係る空気調和機の斜視図。
【図２】従来例に係る空気調和機の有するグリル部材のネームプレート及びその周辺部分の正面図。
【図３】従来例に係る空気調和機の有するグリル部材のネームプレート及びその周辺部分の断面図。
【図４】本発明の一実施形態に係る空気調和機の斜視図。
【図５】本発明の一実施形態に係る空気調和機の有するグリル部材のネームプレート及びその周辺部分の正面図。
【図６】本発明の実施形態に係る空気調和機の有するグリル部材に取り付けられるネームプレートの背面から見た斜視図。
【図７】本発明の一実施形態に係る空気調和機の有するグリル部材のネームプレート及びその周辺部分の断面図。
【図８】本発明の一実施例に係る空気調和機の有するグリル部材に取り付けられるネームプレートの背面から見た斜視図。
【図９】本発明の一実施例に係る空気調和機の有するグリル部材のリブの正面図。
【図１０】本発明の一実施例に係る空気調和機の有するグリル部材に対するネームプレートの取り付け構造を説明するための断面図。
【符号の説明】
【００１５】
Ａ…本発明の実施形態に係る空気調和機
Ｂ…従来例に係る空気調和機
Ｘ１…本発明の実施形態に係る空気調和機の本体筐体
Ｙ１…従来例に係る空気調和機の本体筐体
１…グリル部材
２…ネームプレート
３…桟
３ａ…縁部
４…平面部
５…突設部材
５ａ…先端部
５ｂ…折り曲げ部
５ｃ…根元部
６…リブ
【図１】
2007004036.tif 000003
【図２】
2007004036.tif 000004
【図３】
2007004036.tif 000005
【図４】
2007004036.tif 000006
【図５】
2007004036.tif 000007
【図６】
2007004036.tif 000008
【図７】
2007004036.tif 000009
【図８】
2007004036.tif 000010
【図９】
2007004036.tif 000011
【図１０】
2007004036.tif 000012